(57)【特許請求の範囲】
【請求項１】
遊技機枠と、遊技機枠に搭載された遊技盤と、遊技機枠の前側に開閉可能に取り付けられた前扉及び皿構造体と、遊技盤の裏面に取り付けられた演出制御回路基板及び主制御回路基板と、前扉に設けられた演出部品と、前扉に設けられた駆動回路基板と、前扉の前面や皿構造体の前面から遊技者によって操作可能なように設けられた演出用操作スイッチとを備え、
演出制御回路基板及び駆動回路基板がそれぞれ双方向シリアル通信回路を有し、演出制御回路基板と駆動回路基板とが両端にコネクタを備えた配線により互いに接続されたことによって、駆動回路基板と演出制御回路基板との間で双方向シリアル通信が可能に構成され、
遊技盤の裏面に設けられた球検出器が主制御回路基板に球検出信号を出力し、主制御回路基板が制御信号を演出制御回路基板に出力し、演出制御回路基板が制御信号に基づいて生成した駆動信号を駆動回路基板に出力することによって、駆動回路基板が演出部品を駆動するとともに、
駆動回路基板が、演出用操作スイッチからの演出指示信号を受けて当該演出指示信号を演出制御回路基板に送信することによって、演出制御回路基板が遊技者の意思に基づく演出指示信号に応じた演出部品駆動信号を駆動回路基板に出力し、駆動回路基板が演出指示信号に応じた演出駆動信号によって演出部品を駆動することを特徴とする遊技機の演出装置。
【発明の詳細な説明】
【技術分野】
【０００１】
本発明は、演出部品の駆動回路基板を再利用容易な遊技機の演出装置に関する。
【背景技術】
【０００２】
遊技機の演出装置は、入賞球検出器（のような入力機器）が遊技盤に設けられた入賞口に入賞した球を検出して入賞検出信号を制御部に出力すると、制御部のＣＰＵがＲＯＭに記憶されたプログラムに従いＲＡＭを処理の一時記憶手段として用いた制御処理を実行し、制御部の駆動回路部がＣＰＵの実行結果に従いランプ（のような出力機器）を駆動し、ランプがＣＰＵの実行結果を反映した演出を行う。しかしながら、制御部と駆動回路部とを別々の基板に構成するものの、制御部を構成する基板や駆動回路部を構成する基板が遊技盤に設けられた場合、遊技機枠を交換することなく、遊技盤だけを新しい機種に交換すると、新しい機種の遊技盤にも使用可能な駆動回路部を構成する基板までも交換されるという欠点があった。
【特許文献１】特開２００４−２９８５３４号公報
【発明の開示】
【発明が解決しようとする課題】
【０００３】
発明が解決しようとする問題点は、制御部を構成する基板や駆動回路部を構成する基板が遊技盤に設けられた場合、遊技機枠を交換することなく、遊技盤だけを古い機種から新しい機種に交換すると、新しい機種の遊技盤にも使用可能な駆動回路部を構成する基板までもが古い遊技盤と一緒に交換されてしまい、駆動回路部を構成する基板を再利用できないという欠点があった。
【課題を解決するための手段】
【０００４】
本発明に係る遊技機の演出装置は、遊技機枠と、遊技機枠に搭載された遊技盤と、遊技機枠の前側に開閉可能に取り付けられた前扉及び皿構造体と、遊技盤の裏面に取り付けられた演出制御回路基板及び主制御回路基板と、前扉に設けられた演出部品と、前扉に設けられた駆動回路基板と、前扉の前面や皿構造体の前面から遊技者によって操作可能なように設けられた演出用操作スイッチとを備え、演出制御回路基板及び駆動回路基板がそれぞれ双方向シリアル通信回路を有し、演出制御回路基板と駆動回路基板とが両端にコネクタを備えた配線により互いに接続されたことによって、駆動回路基板と演出制御回路基板との間で双方向シリアル通信が可能に構成され、遊技盤の裏面に設けられた球検出器が主制御回路基板に球検出信号を出力し、主制御回路基板が制御信号を演出制御回路基板に出力し、演出制御回路基板が制御信号に基づいて生成した駆動信号を駆動回路基板に出力することによって、駆動回路基板が演出部品を駆動するとともに、駆動回路基板が、演出用操作スイッチからの演出指示信号を受けて当該演出指示信号を演出制御回路基板に送信することによって、演出制御回路基板が遊技者の意思に基づく演出指示信号に応じた演出部品駆動信号を駆動回路基板に出力し、駆動回路基板が演出指示信号に応じた演出駆動信号によって演出部品を駆動することを特徴とする。
【発明の効果】
【０００５】
本発明に係る遊技機の演出装置によれば、駆動回路基板が前扉に設けられたので、遊技機枠を交換することなく、遊技盤だけを古い機種から新しい機種に交換した場合に、駆動回路基板を当該新しい機種の演出部品用の駆動回路基板として再利用（流用）できる。  
【発明を実施するための最良の形態】
【０００６】
図１乃至図４は、発明を実施するための最良の形態である。図１は、遊技機としてのパチンコ機の遊技機枠１と遊技盤２０とを分離して示す。図２は、前扉４を構成する前パネル５１と後パネル５２とを分離して前側から示す。図３は、パチンコ機の演出装置を構成する前扉４の縦断面を示す。図４は、パチンコ機の演出装置の制御の流れを示す。本明細書において、「前」、「後」、「裏」、「左」、「右」、「上」、「下」の方向は、図１の状態に遊技機枠１を置いて矢印Ｓで示す前側から見た場合に特定される方向である。「後」と「裏」とは同じ方向である。
【０００７】
図１を参照し、パチンコ機の遊技機枠１と遊技機枠１に搭載される遊技盤２０とを説明する。遊技機枠１は、固定枠２の前側に可動枠３を開閉可能に備え、可動枠３の前側に前扉４および皿構造体５を開閉可能に備える。可動枠３は前枠とも呼ばれる。可動枠３は、左側に位置するヒンジ６を中心とし、固定枠２の前側で前側に開かれかつ後側に閉じられるように片開き可能である。前扉４および皿構造体５は、個別に、左側に位置するヒンジ７を中心とし、可動枠３の前側で前側に開かれかつ後側に閉じられるように片開き可能である。可動枠３の右側部には、施錠装置８とロック機構９；１０；１１が設けられる。前扉４は、パネル枠とも呼ばれ、前後方向に貫通する窓１２を備える。前扉４の裏面には、パネル構造体１４が開閉可能に設けられる。パネル構造体１４は、左側に位置するヒンジ１５を中心とし、前扉４の裏側で裏側に開かれかつ前側に閉じられるように片開き可能である。
【０００８】
そして、可動枠３が閉じられて固定枠２にロック機構９で開閉不能に支持され、前扉４および皿構造体５が閉じられて可動枠３にロック機構１０；１１で開閉不能に支持された状態において、遊技店の店員が図外のキープレート（鍵）を遊技機枠１の前側から施錠装置８の鍵穴に挿入し、当該キープレートを例えば右側に９０度回転操作すると、固定枠２と可動枠３とのロック機構９による支持形態が解除される。この支持形態の解除後に、店員が可動枠３を前側に引くことによって、可動枠３はヒンジ６を中心として前側に片開きされる。また、上記施錠装置８の鍵穴に挿入されたキープレートが例えば左側に９０度回転操作されると、可動枠３と前扉４とのロック機構１０による支持形態が解除される。この支持形態の解除後に、店員が前扉４を前側に引くことによって、前扉４はヒンジ７を中心として前側に片開きされる。このように、前扉４が前側に開かれた状態において、パネル構造体１４が前扉４の側に閉じられ、店員がロック機構１６を操作してパネル構造体１４のロック受止部１７に係合すると、パネル構造体１４が前扉４にロック機構１６で開閉不能に支持され、パネル構造体１４の前面が前扉４における窓１２の周縁と接触し、パネル構造体１４が窓１２を裏側から塞ぐ。
【０００９】
その状態において、店員がロック機構１６を操作し、ロック機構１６とロック受止部１７との係合が解除され、店員がパネル構造体１４を後側に引くことによって、パネル構造体１４がヒンジ１５を中心として前扉４から後側に片開きされる。また、前扉４が前側に開かれ、パネル構造体１４が前扉４に開閉不能に支持された状態において、遊技盤２０が可動枠３の前側から可動枠３の内部に装着される。そして、前扉４が閉じられて可動枠３にロック機構１０で開閉不能に支持されることによって、遊技盤２０の前面における図外の遊技領域が遊技機枠１の窓１２およびパネル構造体１４を通して見える形態となる。その後、店員がキープレートを施錠装置８の鍵穴から前側に抜き取る。
【００１０】
皿構造体５の前面には、受皿部１８、発射操作機構１９が設けられる。可動枠３の閉じられた皿構造体５で覆い隠される前面には発射機構２１が設けられる。皿構造体５の裏面には、球取入口３４および球供給口３５が設けられる。球取入口３４は、遊技機枠１の裏面に設けられた図外の払出機構から払出球中継樋３６を経由して排出される球を受皿部１８に供給する部分である。球供給口３５は、受皿部１８から発射機構２１に球を供給する部分である。遊技機枠１の裏面には、電源装置２００、発射払出制御装置２０１、上述した払出機構などの枠側遊技部品が取り付けられる。
【００１１】
遊技盤２０の裏面には、球案内体２２、演出表示制御ユニット２３、主制御装置２４が設けられる。演出表示制御ユニット２３は、前側に図外の図柄表示装置、演出制御回路基板１１１を備える。主制御装置２４は、主制御回路基板１１２を備える。遊技盤２０の右側部には、盤側取付部２５が、上下に位置して設けられる。盤側取付部２５は、ロック挿入孔２６を個別に備える。図示しないが、遊技盤２０の前面には、内ガイドレールと外ガイドレールとからなるガイドレールが設けられ、ガイドレールで囲まれた内側の遊技領域には、始動入賞部品、一般入賞部品、可変入賞部品、センター飾りと呼ばれる飾り部品、サイドランプ飾り、遊技釘、風車、アウト口が設けられる。
【００１２】
前面及び裏面に上述した装置や部品などの設けられた遊技盤２０が、遊技機枠１に次のように装着される。前扉４が可動枠３の前側に開けられた状態において、遊技盤２０の前面が前側に向けられ、遊技盤２０の裏側が可動枠３の方向に向けられ、遊技盤２０が可動枠３の前側から可動枠３の盤収納室２７に挿入され、遊技盤２０の下部が盤棚２８の上に載せられ、遊技盤２０の左側部が盤押圧体２９と盤受ストッパ３０との間に挿入され、遊技盤２０の左側部が盤押圧体２９で前側に押されつつ盤押圧体２９と盤受ストッパ３０とで前後方向から挟まれた後、遊技盤２０の右側部が作業者によって後側に押されると、盤ロック機構３１のロック操作体３２が盤側取付部２５のロック挿入孔２６に後側から挿入されて前側に突出する。その状態において、作業者がロック操作体３２を例えば左方向に９０度回転操作すると、ロック操作体３２がロック挿入孔２６の周りにおける盤側取付部２５と係合し、遊技盤２０が可動枠３に取り付けられる。このように遊技盤２０が可動枠３に取り付けられた場合、遊技盤２０の裏面に設けられた球案内体２２、演出表示制御ユニット２３、主制御装置２４が、可動枠３の中央開口部３３を経由して盤収納室２７よりも裏側に突出する。
【００１３】
パチンコ機の演出装置は、遊技機枠１、前扉４、遊技盤２０、制御回路基板１０１、駆動回路基板１０２、演出部品１０３を備える。前扉４は、前パネル５１、後パネル５２を備える。制御回路基板１０１は、演出制御回路基板１１１と主制御回路基板１１２とにより構成される。
【００１４】
図２を参照し、前扉４を説明する。前扉４の前パネル５１は、合成樹脂により形成された、前板５３、前外枠部５４、前内枠部５５を備える。前板５３には、矩形の板の中央に板の前後に貫通する開口部５６が形成される。前板５３の開口部の回りには、演出部品１０３としてのＬＥＤ６６の光を前板５３の裏側から前側に透過する複数の光透過部５７が個別に設けられ、前板５３の右上部には、演出部品１０３としてのスピーカ６７の音を前板５３の裏側から前側に通過させる複数の音通過部５８が設けられる。前外枠部５４は、前板５３の外周縁より後方に延長する上壁、左右側壁、下壁により形成される。前内枠部５５は、開口部５６の周縁より後方に延長する筒壁により形成される。前板５３の裏には、前板５３の裏面と前外枠部５４の内面と前内枠部５５の内面とで囲まれた凹部５９が形成される。
【００１５】
前扉４の後パネル５２は、合成樹脂により形成された、後板６１、後外枠部６２、後内枠部６３を備える。後板６１には、矩形の板の中央に板の前後に貫通する開口部６４が形成される。後外枠部６２は、後板６１の外周縁より前方に延長する上壁、左右側壁、下壁により形成される。後内枠部６３は、開口部６４の周縁より前方に延長する筒壁により形成される。後板６１の前面と後外枠部６２の内面と後内枠部６３の外面とで囲まれた凹部６５が形成される。この凹部６５の前側内面となる後板６１の前面にはＬＥＤ６６の搭載された複数の電飾基板６８が取り付けられる。後板６１の前面における左右の上部にはスピーカカバー６９がそれぞれ設けられる。このスピーカカバー６９の裏側に対応する後板６１の裏面にスピーカ６７が取り付けられる。
【００１６】
後パネル５２は、複数の電飾基板６８として、中継電飾基板７１、スピーカ下電飾基板７２、左電飾基板７３、左下電飾基板７４、右下電飾基板７５、右電飾基板７６、上電飾基板７７を備える。中継電飾基板７１は、後板６１の前面における左上角部に設けられる。スピーカ下電飾基板７２は、後板６１の前面における開口部の左上部に設けられる。左電飾基板７３は、後板６１の前面における左側縁に沿って設けられる。左下電飾基板７４は、後板６１の前面における左下部に設けられる。右下電飾基板７５は、後板６１の前面における右下部に設けられる。右電飾基板７６は、後板６１の前面における右側縁に沿って設けられる。上電飾基板７７は、後板６１の前面における上側縁に沿って設けられる。中継電飾基板７１と左電飾基板７３とが両端にコネクタ４０を備えた配線８１により互いに接続される。左電飾基板７３とスピーカ下電飾基板７２とが両端にコネクタ４０を備えた配線８２により互いに接続される。左電飾基板７３と左下電飾基板７４とが両端にコネクタ４０を備えた配線８３により互いに接続される。左下電飾基板７４と右下電飾基板７５とが両端にコネクタ４０を備えた配線８４により互いに接続される。右下電飾基板７５と右電飾基板７６とが両端にコネクタ４０を備えた配線８５により互いに接続される。中継電飾基板７１と上電飾基板７７とが両端にコネクタ４０を備えた配線８６により互いに接続される。上述した複数の電飾基板６８は、図外の止ねじが後板６１の前面より前方に突出して設けられた取付支柱８８に電飾基板６８の前側から締結されることで後板６１の前面に取り付けられる。
【００１７】
後パネル５２は、係止片９１と係止爪９２とを備える。係止片９１は、後パネル５２における後外枠部６２の上部及び下部の前面の左右において個別に前方に突出して設けられる。係止爪９２は、係止片９１の前部において上方に延長して設けられる。前パネル５１における前外枠部５４の上部及び下部の内面の左右には、係止片９１の係止爪９２が係合する係合孔９３が形成される。後パネル５２の後板６１の前面における４つの角部から前方に突出する後パネル取付支柱９４が設けられ、前パネル５１の前板５３の裏面における４つの角部から後方に突出する前パネル取付支柱９５が設けられる。図３に示すように、係止片９１の係止爪９２と係合孔９３とを係合させて前パネル５１と後パネル５２とが前後に合わされた状態で、止ねじ９６ａが後パネル取付支柱９４に形成された取付孔９６と前パネル取付支柱９５とに形成された図外の取付孔とに締結されることによって、前パネル５１と後パネル５２とが前後に結合されて前扉４が形成される。前パネル５１と後パネル５２とが前後に結合されることで、前パネル５１と後パネル５２とで囲まれた部品収納空間９７が形成される。複数の電飾基板６８及びＬＥＤ６６が部品収納空間９７における光透過部５７の後方に配置され、これにより、ＬＥＤ６６の光が光透過部５７を経由して前扉４の前方に透過する。尚、前パネル５１と後パネル５２とが分離可能な構成としたため、部品収納空間９７に配置される複数の電飾基板６８やＬＥＤ６６の点検作業や交換作業も容易にできる。
【００１８】
図１に戻って、前扉４の後パネル５２の後板６１の裏面には、駆動回路基板１０２が設けられる。駆動回路基板１０２は、後板６１の裏面における開口部６４の右上に相当する位置に設けられる。図外の止ねじが駆動回路基板１０２の裏面を抑える押え板９８の裏側から押え板９８とともに駆動回路基板１０２を経由して後板６１の裏面の図外の取付支柱に締結されることにより、駆動回路基板１０２が後板６１の裏面に取り付けられる。スピーカ６７；６７は、後板６１の裏面において開口部６４の上部の左右に相当する位置にそれぞれ設けられる。スピーカ６７；６７は図外の止ねじにより後板６１の裏面に取り付けられる。
【００１９】
後板６１の裏面に取り付けられた駆動回路基板１０２の前側に相当する後板６１には、後板６１の前後に貫通する図外の通孔が形成され、駆動回路基板１０２の前面に実装された図外のＬＥＤがエラー表示灯として通孔に対応して設けられる。この通孔とエラー表示灯とを前側から覆うように後板６１の前面にはエラー表示灯カバー１０４が取り付けられる（図２参照）。このエラー表示灯カバー１０４の部分は、前パネル５１で覆われず、前扉４の前側から目視できる。
【００２０】
主制御回路基板１１２と演出制御回路基板１１１とが両端にコネクタ４０を備えた制御配線１１３により互いに接続される。演出制御回路基板１１１と駆動回路基板１０２とが両端にコネクタ４０を備えた駆動配線１１５により互いに接続される。駆動回路基板１０２と中継電飾基板７１とが両端にコネクタ４０を備えた中継配線１１６により互いに接続される。後板６１の中継電飾基板７１の設けられている位置に対応して後板６１の前後に貫通する接続孔１１７が形成される。中継電飾基板７１の裏面には中継コネクタ１１８が実装され、この中継コネクタ１１８と中継配線１１６のコネクタ４０とが接続孔１１７を経由して互いに接続可能に構成される。駆動回路基板１０２とスピーカ６７の入力端子とが両端にコネクタ４０を備えた配線１２０により互いに接続される。
【００２１】
図１及び図４に示すように、駆動回路基板１０２は、ＬＥＤ駆動回路１２１、スピーカ駆動回路１２２、双方向シリアル通信回路１２３を備える。演出制御回路基板１１１は、制御回路の他に、駆動回路基板１０２のスピーカ駆動回路１２２と駆動配線１１５により互いに接続された出力回路１２５、駆動回路基板１０２の双方向シリアル通信回路１２３と駆動配線１１５により互いに接続された双方向シリアル通信回路１２６を備える。
【００２２】
次にパチンコ機の動作を説明する。パチンコ機は、図外の電源スイッチの投入により、電源装置２００から図外の電力供給配線を経由し、発射払出制御装置２０１、主制御装置２４、演出制御ユニット２３、駆動回路基板１０２を経由して、スピーカ６７や電飾基板６８のＬＥＤ６６のような演出部品１０３、その他の電気部品に駆動電力が供給される。即ち、島と呼ばれる遊技機設置構造体の電源設備からの商用電源を図外の電源コネクタを経由して電源装置２００に入力し、電源装置２００がパチンコ機に搭載された電気部品の駆動に必要な複数の電力を生成して電気部品に供給する。主制御装置２４の主制御回路基板１１２が電源スイッチのオン動作に伴う電力供給で起動し、球が受皿部１８に入っている状態において、遊技者が発射操作機構１９を操作すると、発射払出制御装置２０１が発射機構２１を発射操作機構１９から出力された操作量に応じた発射力で例えば１分間に１から１００発未満までの所定数の間隔で駆動し、発射機構２１が球を１個ずつ遊技盤２０の前面の内ガイドレールと外ガイドレールとの間に形成された図外の発射通路に向けて発射する。発射通路に発射された球が、発射通路から遊技領域に入り遊技領域を流下する過程において、いずれかの入賞部品に入賞したならば、その入賞部品の球検出器から入賞検出信号が主制御回路基板１１２に出力される。主制御回路基板１１２は入賞検出信号を入力して所定の制御処理を実行し、演出部品１０３の制御信号を演出制御ユニット２３の演出制御回路基板１１１に出力する。演出制御回路基板１１１は駆動回路基板１０２に駆動信号を出力し、駆動回路基板１１２が演出部品１０３を駆動する。これにより、演出部品１０３がＣＰＵの実行結果を反映した演出を行う。つまり、図４に示すように、遊技盤２０の裏面に設けられた球検出器１０５のような入力機器が主制御回路基板１１２に球検出信号を出力し、主制御回路基板１１２が制御信号を演出制御回路基板１１１に出力し、演出制御回路基板１１１が制御信号に基づいて生成した駆動信号を駆動回路基板１０２に出力することによって、駆動回路基板１０２がスピーカ６７や電飾基板６８に実装されたＬＥＤ６６のような演出部品１０３を駆動する。即ち、駆動回路基板１０２が、主制御回路基板１１２と演出制御回路基板１１１とにより構成された制御回路基板１０１からの出力で演出部品１０３を動作させる。駆動回路基板１０２が双方向シリアル通信回路１２３を備え、演出制御回路基板１１１が双方向シリアル通信回路１２６を備え、駆動回路基板１０２と演出制御回路基板１１１との間で双方向シリアル通信が可能なので、駆動回路基板１０２が、前扉４の前面や皿構造体５の前面から遊技者によって操作可能なように設けられた演出用操作スイッチ１０６からの演出指示信号を受けて演出制御回路基板１１１に送信することによって、演出制御回路基板１１１が遊技者の意思に基づく演出指示信号に応じた演出部品駆動信号を駆動回路基板１０２に出力でき、駆動回路基板１０２が演出指示信号に応じた演出駆動信号によって演出部品１０３を駆動できる。
【００２３】
最良の形態によれば、図３に示すように、前扉４は、前パネル５１と後パネル５２とが前後に結合されて形成され、前パネル５１が光透過部５７と音通過部５８（図２参照）とを備え、光透過部５７の後方に対応する後パネル５２の前面には演出部品１０３としてのＬＥＤ６６のような光源を実装した複数の電飾基板６８が設けられ、音通過部５８の後方に対応する後パネル５２の裏面には演出部品１０３としてのスピーカ６７のような音出力器が設けられ、後パネル５２の裏面には駆動回路基板１０２が設けられた構成とした。よって、遊技機枠１を交換することなく、遊技盤２０だけを古い機種から新しい機種に交換する際には、古い機種の遊技盤２０の演出制御回路基板１１２と駆動配線１１５との接続を解除し、可動枠３から古い機種の遊技盤２０を取り外し、新しい機種の遊技盤２０を可動枠３に搭載して当該新しい機種の遊技盤２０の演出制御回路基板１１２と前扉４に設けられた駆動回路基板１０２とを駆動配線１１５により互いに接続することによって、遊技盤２０だけを古い機種から新しい機種に交換した場合に、駆動回路基板１０２を当該新しい機種の演出部品用の駆動回路基板１０２として再利用（流用）できる。しかも、遊技盤２０だけを古い機種から新しい機種に交換する作業を、駆動配線１１５による配線接続作業によって簡単に行える。前扉４の後パネル５２の裏面に駆動回路基板１０２を設けたので、前扉４の前パネル５１の前面に演出部品１０３を設けるスペースを多くできて、前パネル５１の前面に演出部品１０３としてのＬＥＤ６６を万遍なく配置でき、演出効果を高めることができるとともに駆動回路基板１０２への配線作業も容易にできる。複数の電飾基板６８を前パネル５１の前面に集約して設けたので、複数の電飾基板６８同士の配線作業も容易にできる。
【産業上の利用可能性】
【００２４】
前扉４は、前パネル５１と後パネル５２とが前後に結合されて形成され、前パネル５１が複数の光透過部５７と音通過部５８とを備えた構成としたことによって、光透過部５７や音通過部５８の後方に位置するように演出部品１０３としての光源や音出力器を前パネル５１あるいは後パネル５２に自由に配置できる。例えば、スピーカ６７を前パネル５１の裏面あるいは後パネル５２の前面に設けたり、ＬＥＤ６６を実装した複数の電飾基板６８を前パネル５１の裏面に設けることも可能となる。これに伴い、駆動回路基板１０２を後パネル５２の前面や前パネル５１の裏面に設けることも可能となる。すなわち、前扉４の前パネル５１や後パネル５２に対して、光源、音出力器のような演出部品１０３、及び、駆動回路基板１０２を自由に配置できる。
【図面の簡単な説明】
【００２５】
【図１】パチンコ機の遊技機枠と遊技盤とを分離した分解斜視図（最良の形態）。
【図２】前扉を構成する前パネルと後パネルとを分離して前側から示した分解斜視図（最良の形態）。
【図３】前扉の縦断面（最良の形態）。
【図４】パチンコ機の演出装置の制御ブロック図（最良の形態）。
【符号の説明】
【００２６】
１  遊技機枠、４  前扉、２０  遊技盤、５１  前パネル、５２  後パネル、
６６  ＬＥＤ（演出部品）、６７  スピーカ（演出部品）、１０１  制御回路基板、
１０２  駆動回路基板、１０３  演出部品。
【図１】
0004799087.tif 000002
【図２】
0004799087.tif 000003
【図３】
0004799087.tif 000004
【図４】
0004799087.tif 000005